(57)【要約】【課題】各種のバルコニーを構成することができ、部材コストの削減および管理の簡略化を図ることができるバルコニーの施工方法およびバルコニーを提供すること。【解決手段】バルコニー１０Ｅは、床組部１１と、複数のデッキ材１２とによって構成される。床組部１１には、用意したカバー材２０、第一持出し材３０および第二持出し材４０のうちのすべてが選択部材として組み込まれている。床組部１１では、前桁１３、妻梁１４および梁材１９を三方枠組みしており、梁材１９の側面には、第一持出し材３０が取り付けられており、第二持出し材４０は、建物躯体の奥行方向に沿った外壁面２Ｂおよび第一持出し材３０に取り付けられている。第二持出し材４０には、カバー材２０がデッキ材１２までにわたって配置されている。【選択図】図９
2019065584.tif 000002
【特許請求の範囲】
【請求項１】
フレームを組んで床組部を形成し、前記床組部に複数のデッキ材を並設して構成されるバルコニーの施工方法であって、
前記フレームの側面および建物躯体の外壁面のいずれにも取付け可能な第一持出し材と、前記第一持出し材の側面、前記フレームの側面および前記外壁面のいずれにも取付け可能に構成されていると共に前記第一持出し材の幅寸法よりも短い幅寸法とされた第二持出し材と、前記第一持出し材、前記第二持出し材および前記フレームのいずれにも取付け可能であると共に当該取付け部分から前記デッキ材の上面までにわたって配置されるカバー材とを用意し、
前記カバー材を選択し、または、
前記カバー材と前記第一持出し材および前記第二持出し材のうちの少なくとも一方とを選択し、選択した選択部材を組み込んで前記床組部を形成する
ことを特徴とするバルコニーの施工方法。
【請求項２】
フレームを組んで形成した床組部と、前記床組部に並設した複数のデッキ材とによって構成されるバルコニーであって、
前記フレームの側面または建物躯体の外壁面のいずれにも取付け可能な第一持出し材と、前記第一持出し材の側面、前記フレームの側面または前記外壁面のいずれにも取付け可能に構成されていると共に前記第一持出し材の幅寸法よりも短い幅寸法とされた第二持出し材と、前記第一持出し材、前記第二持出し材または前記フレームのいずれにも取付け可能であると共に前記取付け部分から前記デッキ材の上面までにわたって配置されるカバー材とのうち、前記カバー材が選択部材として前記床組部に組み込まれており、または、前記カバー材と前記第一持出し材および前記第二持出し材のうちの少なくとも一方とが選択部材として前記床組部に組み込まれている
ことを特徴とするバルコニー。
【請求項３】
請求項２に記載のバルコニーにおいて、
前記第二持出し材および前記カバー材が選択部材として前記床組部に組み込まれており、
前記第二持出し材の長手方向に沿った一方の側面は、前記床組部において建物躯体の入隅部を構成する外壁面に取付け可能に配置されており、
前記第二持出し材の長手方向に沿った他方の側面には、デッキ材受けが取り付けられており、
前記カバー材は、前記デッキ材受けよりも上方に配置されて前記第二持出し材に取り付けられている
ことを特徴とするバルコニー。
【請求項４】
請求項２に記載のバルコニーにおいて、
前記カバー材が選択部材として前記床組部に組み込まれており、
前記フレームの長手方向に沿った両側面にはデッキ材受けまたは根太掛けがそれぞれ取り付けられており、
前記カバー材は、前記デッキ材受けまたは前記根太掛けよりも上方の位置で前記フレームの長手方向に沿った両側面側にそれぞれ取り付けられている
ことを特徴とするバルコニー。
【請求項５】
請求項２に記載のバルコニーにおいて、
前記第一持出し材および前記カバー材が選択部材として前記床組部に組み込まれており、
前記第一持出し材の長手方向に沿った一方の側面は、前記フレームに取り付けられており、
前記第一持出し材の長手方向に沿った他方の側面には、根太掛けが取り付けられており、
前記カバー材は、前記根太掛けよりも上方に配置されて前記第一持出し材に取り付けられている
ことを特徴とするバルコニー。
【請求項６】
請求項２に記載のバルコニーにおいて、
前記第一持出し材、前記第二持出し材および前記カバー材が選択部材として前記床組部に組み込まれており、
前記第一持出し材の長手方向に沿った一方の側面は、前記フレームに取り付けられており、
前記第二持出し材の長手方向に沿った一方の側面は、前記第一持出し材の長手方向に沿った他方の側面に取り付けられており、
前記第二持出し材の長手方向に沿った他方の側面には、デッキ材受けが取り付けられており、
前記カバー材は、前記デッキ材よりも上方に配置されて前記第二持出し材に取り付けられている
ことを特徴とするバルコニー。
【請求項７】
請求項６に記載のバルコニーにおいて、
前記フレームの長手方向に沿った一方の側面に前記第一持出し材が取り付けられており、
前記フレームの長手方向に沿った他方の側面にデッキ材受けが取り付けられており、
前記フレームの他方の側面に取り付けられたデッキ材受けの上方には、前記カバー材が取り付けられている
ことを特徴とするバルコニー。
【発明の詳細な説明】
【技術分野】
【０００１】
本発明は、戸建て住宅等の建物躯体の外壁の出隅部や入隅部に設置される各種バルコニーの施工方法およびバルコニーに関する。
【背景技術】
【０００２】
従来、特殊形状のバルコニーとして、建物躯体の出隅部に設置される出隅納まりのバルコニーや、建物躯体の入隅部に設置される入隅納まりのバルコニーなどが一般に知られている。これらのバルコニーでは、それぞれの納まりの違いから、出隅用や入隅用の専用部材が桁材、梁材や根太などとして用いられる。このため、部材コストが高くなり、部材点数が多くなって管理が煩雑であった。
【０００３】
そこで、例えば特許文献１に記載されているように、上記の専用部材に代えて、一方の側部に根太載置部が形成された桁材アタッチメントや、一方の側部に床材載置部が形成された梁材アタッチメントを備え、桁材アタッチメントおよび梁材アタッチメントを背合わせ状態や重ね合わせ状態で接合して用いたり、梁材アタッチメントなどを単体で用いたりすることで、前述した各種のバルコニー同士において桁材、梁材や根太などを構成可能とすることが知られている。このように各アタッチメントを組み合わせることで、専用部材を備える場合よりも部材コストを抑えることができ、部材点数を少なくして管理を簡略化できる。
【先行技術文献】
【特許文献】
【０００４】
【特許文献１】特開平１０−１８３９４７号公報
【発明の概要】
【発明が解決しようとする課題】
【０００５】
ところで、特許文献１に記載のバルコニーでは、桁材アタッチメントや梁材アタッチメント自体に根太載置部や床材載置部が形成されているので、桁材アタッチメントや梁材アタッチメントによって構成される桁材や根太に対してこれらの幅方向における根太載置部や床材載置部の位置を調整することができず、構成可能なバルコニーの種類を増やすことが困難である。
例えば、建物躯体の入隅部および出隅部の双方がある外壁部分に沿って躯体側出幅違い納まりのバルコニーを組み立てようとしても、この納まりのバルコニーでは、入隅部および出隅部の双方を構成する奥行方向に沿った外壁面にデッキ材受けとするアタッチメントを取り付ける位置と、出隅部を構成する間口方向に沿った外壁面に中間根太とするアタッチメントを取り付ける位置とが異なる位置となってしまい、長さ寸法が揃えられた根太やデッキ材を前述したアタッチメントの根太載置部や床材載置部で受けられる取り合いとすることが困難である。なお、このように、上記各位置が異なるのは、中間根太を建物躯体の柱部にネジ止めするために建物躯体の外壁材の厚さ寸法を考慮することで、中間根太の位置が奥行方向に沿った外壁面から離れた位置に配置せざるを得ないためである。
【０００６】
本発明の目的は、各種のバルコニーを構成することができ、部材コストの削減および管理の簡略化を図ることができるバルコニーの施工方法およびバルコニーを提供することにある。
【課題を解決するための手段】
【０００７】
本発明のバルコニーの施工方法は、フレームを組んで床組部を形成し、前記床組部に複数のデッキ材を並設して構成されるバルコニーの施工方法であって、前記フレームの側面および建物躯体の外壁面のいずれにも取付け可能な第一持出し材と、前記第一持出し材の側面、前記フレームの側面および前記外壁面のいずれにも取付け可能に構成されていると共に前記第一持出し材の幅寸法よりも短い幅寸法とされた第二持出し材と、前記第一持出し材、前記第二持出し材および前記フレームのいずれにも取付け可能であると共に当該取付け部分から前記デッキ材の上面までにわたって配置されるカバー材とを用意し、前記カバー材を選択し、または、前記カバー材と前記第一持出し材および前記第二持出し材のうちの少なくとも一方とを選択し、選択した選択部材を組み込んで前記床組部を形成することを特徴とする。
本発明のバルコニーの施工方法によれば、第一持出し材および第二持出し材を用いずにカバー材をフレームに取り付けた構成、カバー材を第一持出し材に取り付けた構成、カバー材を第二持出し材に取り付けた構成や、第一持出し材に取り付けた第二持出し材にカバー材を取り付けた構成とすることが選択できる。このため、フレーム、第一持出し材または第二持出し材に対して根太掛けやデッキ材受けを取り付けることで、根太やデッキ材に対するフレームの取り合いの選択幅を広げることができる。これにより、各種のバルコニーを構成することができ、また、各種バルコニー間で共通の各持出し材やカバー材を適用できるので部材コストの削減および管理の簡略化を図ることができる。更に、フレーム、第一持出し材または第二持出し材にカバー材を取り付けることで、フレーム、第一持出し材または第二持出し材とデッキ材との隙間を上方から覆うことができる。
【０００８】
本発明のバルコニーは、フレームを組んで形成した床組部と、前記床組部に並設した複数のデッキ材とによって構成されるバルコニーであって、前記フレームの側面または建物躯体の外壁面のいずれにも取付け可能な第一持出し材と、前記第一持出し材の側面、前記フレームの側面または前記外壁面のいずれにも取付け可能に構成されていると共に前記第一持出し材の幅寸法よりも短い幅寸法とされた第二持出し材と、前記第一持出し材、前記第二持出し材または前記フレームのいずれにも取付け可能であると共に前記取付け部分から前記デッキ材の上面までにわたって配置されるカバー材とのうち、前記カバー材が選択部材として前記床組部に組み込まれており、または、前記カバー材と前記第一持出し材および前記第二持出し材のうちの少なくとも一方とが選択部材として前記床組部に組み込まれていることを特徴とする。
本発明のバルコニーによれば、第一持出し材および第二持出し材を用いずにカバー材をフレームに取り付けた構成、カバー材を第一持出し材に取り付けた構成、カバー材を第二持出し材に取り付けた構成や、第一持出し材に取り付けた第二持出し材にカバー材を取り付けた構成とすることが選択できる。このため、フレーム、第一持出し材または第二持出し材に対して根太掛けやデッキ材受けを取り付けることで、根太やデッキ材に対するフレームの取り合いの選択幅を広げることができる。これにより、各種のバルコニーを構成することができ、また、各種バルコニー間で共通の各持出し材やカバー材を適用できるので部材コストの削減および管理の簡略化を図ることができる。更に、フレーム、第一持出し材または第二持出し材にカバー材を取り付けることで、フレーム、第一持出し材または第二持出し材とデッキ材との隙間を上方から覆うことができ、デッキ材との取り合いに多少の誤差があっても外観上目立つことがない。
【０００９】
本発明のバルコニーでは、前記第二持出し材および前記カバー材が選択部材として前記床組部に組み込まれており、前記第二持出し材の長手方向に沿った一方の側面は、前記床組部において建物躯体の入隅部を構成する外壁面に取付け可能に配置されており、前記第二持出し材の長手方向に沿った他方の側面には、デッキ材受けが取り付けられており、前記カバー材は、前記デッキ材受けよりも上方に配置されて前記第二持出し材に取り付けられていてもよい。
このような構成によれば、第二持出し材を建物躯体の片入隅部や両入隅部を構成する外壁面にそれぞれ取り付けることで、片入隅納まりや両入隅納まりのバルコニーを構成することができる。更に、第二持出し材にカバー材を取り付けることで、第二持出し材とデッキ材との隙間をカバー材によって上方から覆うことができ、デッキ材との取り合いに多少の誤差があっても外観上目立つことがない。
【００１０】
本発明のバルコニーでは、前記カバー材が選択部材として前記床組部に組み込まれており、前記フレームの長手方向に沿った両側面にはデッキ材受けまたは根太掛けがそれぞれ取り付けられており、前記カバー材は、前記デッキ材受けまたは前記根太掛けよりも上方の位置で前記フレームの長手方向に沿った両側面側にそれぞれ取り付けられていてもよい。
このような構成によれば、フレームの一方の側面側において根太掛けに受けられる根太上のデッキ材とフレームの他方の側面側において根太掛けに受けられる根太上のデッキ材とを連結した連結構造のバルコニー、例えば奥行連結納まりのバルコニーを構成することができる。更に、カバー材がフレームの両側面側にあるので、フレームに対して両側面側にあるデッキ材と当該フレームとの隙間をカバー材によってそれぞれ上方から覆うことができ、デッキ材との取り合いに多少の誤差があっても外観上目立つことがない。
また、建物躯体の入隅部を構成する二つの外壁面にそれぞれ沿って配置される基本バルコニー部と、二つの基本バルコニー部に連続した入隅バルコニー部との連続部分における中間根太として前述したカバー材付きのフレームを適用することで、基本バルコニー部および入隅バルコニー部のデッキ材を中間根太によって連結した連結構造とされた入隅納まりのバルコニーを構成することができる。更に、この入隅納まりのバルコニーにおいても、フレームに対して両側面側にあるデッキ材と当該フレームとの隙間をカバー材によってそれぞれ上方から覆うことができ、デッキ材との取り合いに多少の誤差があっても外観上目立つことがない。
【００１１】
本発明のバルコニーでは、前記第一持出し材および前記カバー材が選択部材として前記床組部に組み込まれており、前記第一持出し材の長手方向に沿った一方の側面は、前記フレームに取り付けられており、前記第一持出し材の長手方向に沿った他方の側面には、根太掛けが取り付けられており、前記カバー材は、前記根太掛けよりも上方に配置されて前記第一持出し材に取り付けられていてもよい。
このような構成によれば、建物躯体の出隅部を構成する二つの外壁面にそれぞれ沿って配置される基本バルコニー部と、二つの基本バルコニー部に連続した出隅バルコニー部との連続部分における中間根太として前述したフレームを適用することで、出隅納まりのバルコニーを構成することができる。ここで、中間根太としてのフレームには、第一持出し材が取り付けられており、この第一持出し材に根太掛けが取り付けられているので、フレームが出隅部のコーナーエッジから離れた位置に配置されても根太との取り合いを第一持出し材によって調整することができる。更に、第一持出し材とデッキ材との隙間はカバー材によって上方から覆うことができ、デッキ材との取り合いに多少の誤差があっても外観上目立つことがない。
【００１２】
本発明のバルコニーでは、前記第一持出し材、前記第二持出し材および前記カバー材が選択部材として前記床組部に組み込まれており、前記第一持出し材の長手方向に沿った一方の側面は、前記フレームに取り付けられており、前記第二持出し材の長手方向に沿った一方の側面は、前記第一持出し材の長手方向に沿った他方の側面に取り付けられており、前記第二持出し材の長手方向に沿った他方の側面には、デッキ材受けが取り付けられており、前記カバー材は、前記デッキ材よりも上方に配置されて前記第二持出し材に取り付けられていてもよい。
このような構成によれば、建物躯体の入隅部および出隅部を構成する外壁面のうち前記出隅部のみを構成する外壁面に取り付けられる梁材を前述した第一、第二持出し材、デッキ材受けおよびカバー材が取り付けられたフレームによって構成することで、奥行方向における奥側が入隅部に納められ、前方側が突出した片入隅途中納まりのバルコニーや、両入隅納まりのバルコニーを構成することができる。更に、第二持出し材とデッキ材との隙間はカバー材によって上方から覆うことができ、デッキ材との取り合いに多少の誤差があっても外観上目立つことがない。
【００１３】
本発明のバルコニーでは、前記フレームの長手方向に沿った一方の側面に前記第一持出し材が取り付けられており、前記フレームの長手方向に沿った他方の側面にデッキ材受けが取り付けられており、前記フレームの他方の側面に取り付けられたデッキ材受けの上方には、前記カバー材が取り付けられていてもよい。
このような構成によれば、建物躯体の入隅部および出隅部を構成する外壁面のうち前記出隅部のみを構成する外壁面に取り付けられる中間根太を前述した第一、第二持出し材、デッキ材受けおよびカバー材が取り付けられたフレームによって構成することで、建物躯体の入隅部に沿った入隅側バルコニー部と、建物躯体の出隅部に沿った出隅側バルコニー部とが中間根太としてのフレームの両側面側に配置された躯体側出幅違いのバルコニーを構成することができる。更に、フレームの両側面とデッキ材との各隙間はカバー材によってそれぞれ上方から覆うことができ、デッキ材との取り合いに多少の誤差があっても外観上目立つことがない。
【発明の効果】
【００１４】
本発明によれば、各種のバルコニーを構成することができ、部材コストの削減および管理の簡略化を図ることができるバルコニーの施工方法およびバルコニーを提供することができる。
【図面の簡単な説明】
【００１５】
【図１】本発明の実施形態に係るバルコニーの各種納まりを示す概略図。
【図２】前記バルコニーに適用される各種部材を示す説明図。
【図３】本発明の第１実施形態に係る片入隅納まりのバルコニーを示す平面図。
【図４】図３に示すＩＶ−ＩＶ線に沿った断面図。
【図５】本発明の第３実施形態に係る入隅納まりのバルコニーを示す平面図。
【図６】図５に示すＶＩ−ＶＩ線に沿った断面図。
【図７】本発明の第４実施形態に係る出隅納まりのバルコニーを示す平面図。
【図８】図７に示すＶＩＩＩ−ＶＩＩＩ線に沿った断面図。
【図９】本発明の第５実施形態に係る片入隅途中納まりのバルコニーを示す平面図。
【図１０】図９に示すＸ−Ｘ線に沿った断面図。
【図１１】本発明の第７実施形態に係る躯体側出幅違い納まりのバルコニーを示す平面図。
【図１２】図１１に示すＸＩＩ−ＸＩＩ線に沿った断面図。
【図１３】本発明の第８実施形態に係るバルコニーを示す平面図。
【図１４】図１３に示すＸＩＶ−ＸＩＶ線に沿った断面図。
【発明を実施するための形態】
【００１６】
図１（Ａ）〜（Ｈ）は、戸建て住宅等の建物躯体の外壁に対する各種納まりのバルコニー１０Ａ〜１０Ｈを示しており、これらの８種類の納まりのバルコニー１０Ａ〜１０Ｈは、図２に示すカバー材２０や、第一持出し材３０、第二持出し材４０などの各種部材を用いて組み立てられている。
図１（Ａ）に示すバルコニー１０Ａは、建物躯体の入隅部２に設置される片入隅納まりのバルコニーであり、第１実施形態として説明する。図１（Ｂ）に示すバルコニー１０Ｂは、建物躯体の入隅部２が左右両側にある両入隅部に設置される両入隅納まりのバルコニーであり、第２実施形態として説明する。図１（Ｃ）に示すバルコニー１０Ｃは、建物躯体の入隅部２に沿って設置される入隅納まりのバルコニーであり、第３実施形態として説明する。図１（Ｄ）に示すバルコニー１０Ｄは、建物躯体の出隅部４に沿って設置される出隅納まりのバルコニーであり、第４実施形態として説明する。図１（Ｅ）に示すバルコニー１０Ｅは、建物躯体の入隅部２および出隅部４がある外壁部分に設置される片入隅納まりのバルコニーであり、第５実施形態として説明する。図１（Ｆ）に示すバルコニー１０Ｆは、建物躯体の入隅部２および出隅部４が左右両側にある外壁部分に設置される両入隅納まりのバルコニーであり、第６実施形態として説明する。図１（Ｇ）に示すバルコニー１０Ｇは、建物躯体の入隅部２および出隅部４の双方がある外壁部分に設置される躯体側出幅違い納まりのバルコニーであり、第７実施形態として説明する。図１（Ｈ）に示すバルコニー１０Ｈは、建物躯体の外壁面２Ｄに沿って設置され、奥行方向においてデッキ材１２同士がフレームによって連結される奥行連結納まりのバルコニーであり、第８実施形態として説明する。
以下の説明では、バルコニー１０Ａ〜１０Ｈの間口方向をＸ軸方向とし、バルコニー１０Ａ〜１０Ｈの上下方向をＹ軸方向とし、バルコニー１０Ａ〜１０Ｈの奥行方向をＺ軸方向とする。Ｘ，Ｙ，Ｚ軸方向は互いに直交している。
【００１７】
先ず、各種バルコニー１０Ａ〜１０Ｈを組み立てるのに選択される選択部材としてのカバー材２０、第一持出し材３０および第二持出し材４０と、第一持出し材３０や第二持出し材４０などに取り付けられるデッキ材受け５０および根太掛け６０との構成について図２を参照して説明する。
カバー材２０は、矩形板状の長尺部材であり、その長手方向に沿った一方の側縁側におおける下面に二つの突部２１，２２が形成されている。カバー材２０は、第一持出し材３０、第二持出し材４０および各種のフレームのいずれにも取付け可能に構成されている。
【００１８】
第一持出し材３０は、断面略矩形状であって中空の本体部３１と、本体部３１から上方に立ち上げられた立上げ片部３２と、立上げ片部３２の上端部から一方の側方に延びた上片部３３と、立上げ片部３２の上端部から他方の側方に延びた取付片部３４と、本体部３１から一方の側方に延出した上下の固定片部３６，３７と、固定片部３６，３７間において本体部３１から一方の側方に延出した当接片部３８と、本体部３１の下端部から他方の側方に延出した受け片部３９とを有している。取付片部３４の側縁部には下方に垂下した垂下片部３４Ａが形成されている。本体部３１は、本体上片部３１１と、本体上片部３１１に連続した一対の本体側片部３１２，３１３と、本体側片部３１２，３１３に連続した本体下片部３１４とを有している。立上げ片部３２および固定片部３６は、本体上片部３１１および本体側片部３１２の連続部分につながっており、固定片部３７は、本体下片部３１４および本体側片部３１２の連続部分につながっており、当接片部３８は、本体側片部３１２につながっており、受け片部３９は、本体下片部３１４および本体側片部３１３の連続部分につながっている。第一持出し材３０は、その固定片部３６，３７で各種のフレームの側面および後述する外壁面２Ａ〜２Ｄのいずれにも取付け可能に構成されている。
【００１９】
第二持出し材４０は、上下に配置された断面略矩形状の中空矩形部４１，４２と、中空矩形部４１，４２を連続した連続片部４３と、上側の中空矩形部４１から上方に立ち上げられた立上げ片部４４と、立上げ片部４４から一方の側方に延びた当接片部４５と、立上げ片部４４の上端から他方の側方に延びた取付片部４６と、取付片部４６から下方に垂下した垂下片部４７とを有している。取付片部４６の側縁部には上方に突出した突部４８が形成されている。上側の中空矩形部４１は、上片部４１１と、上片部４１１に連続した一対の側片部４１２，４１３と、側片部４１２，４１３に連続した下片部４１４とを有している。下側の中空矩形部４２は、上片部４２１と、上片部４２１に連続した一対の側片部４２２，４２３と、側片部４２２，４２３に連続した下片部４２４とを有している。上側の中空矩形部４１の側片部４１２，４１３の上下方向寸法は、下側の中空矩形部４２の側片部４２２，４２３の上下方向寸法よりも短い。連続片部４３は、上側の中空矩形部４１の下片部４１４および側片部４１３の連続部分と、下側の中空矩形部４２の上片部４２１および側片部４２３の連続部分とにつながっている。立上げ片部４４は、上側の中空矩形部４１の上片部４１１および側片部４１３の連続部分につながっている。第二持出し材４０は、第一持出し材３０の受け片部３９を除いた幅寸法Ａよりも短い幅寸法Ｂとされている。第二持出し材４０は、その側片部４１２および連続片部４３で第一持出し材３０の側面を有する本体側片部３１３、各種のフレームの側面および外壁面２Ａ〜２Ｄのいずれにも取付け可能に構成されている。
【００２０】
デッキ材受け５０は、底片部５１と、底片部５１から立ち上げられた一対の側片部５２，５３とを有しており、底片部５１および側片部５２，５３によって凹溝状の雨樋部を形成している。側片部５２は側片部５３よりも上方に長く延出している。側片部５３の上端部には、側片部５２に向かって延出した受け片部５４が形成されている。
根太掛け６０は、固定片部６１と、固定片部６１の下縁部から折曲した根太受け片部６２とを有して断面略Ｌ字状に形成されている。固定片部６１の下縁部は、根太受け片部６２よりも下方に突出した突部６３を形成している。
【００２１】
［第１実施形態］
以下、本発明の第１実施形態を図面に基づいて説明する。
図１（Ａ）および図３，４において、第１実施形態に係る片入隅納まりのバルコニー１０Ａは、入隅部２を構成する外壁面２Ａ，２Ｂに沿った床組部１１と、床組部１１に並設された樹脂製の複数のデッキ材１２とを有している。
床組部１１は、フレームである前桁１３（桁材）および妻梁１４（梁材）と、複数の根太１５とを備えている。床組部１１は、更に図４に示すようにカバー材２０、第二持出し材４０およびデッキ材受け５０を備えている。
前桁１３は、その一端が支柱５に取り付けられており、その他端がＺ軸方向に沿った外壁面２Ｂに取り付けられている。この前桁１３の側面には根太掛け６０が取り付けられている。
妻梁１４は、その一端が支柱５に取り付けられており、その他端がＸ軸方向に沿った外壁面２Ａに取り付けられている。妻梁１４にはデッキ材受け５５およびカバー材２５が取り付けられている。デッキ材受け５５は凹溝状の雨樋部を有している。カバー材２５は、デッキ材受け５５に対して上方に配置されていると共に、妻梁１４およびデッキ材１２間の隙間を上方から覆っている。
第二持出し材４０は、図４に示すように、その側片部４１２および連続片部４３が外壁面２Ｂにネジ止めされており、この第二持出し材４０の側片部４１３および立上げ片部４４には、デッキ材受け５０の側片部５２がネジ止めされている。デッキ材受け５０の側片部５２の上端部は、第二持出し材４０の立上げ片部４４および垂下片部４７間の空間に配置されていると共に、取付片部４６に突き当てられて位置合わせされている。バルコニー１０Ａにおける第二持出し材４０は、前桁１３から外壁面２Ａまでにわたる長さ寸法とされている。
第二持出し材４０の取付片部４６には、カバー材２０がネジ止めされており、カバー材２０の一方の側縁部は突部２１とともに外壁面２Ｂに当接しており、突部２２は、取付片部４６の上面に当接している。また、第二持出し材４０の突部４８は、カバー材２０の下面に当接している。このようにして、カバー材２０は第二持出し材４０に安定した状態で取り付けられている。
外壁面２Ａには根太掛け６０が取り付けられており、複数の根太１５の両端は、前桁１３および外壁面２Ａに取り付けられた根太掛け６０に掛けわたされている。複数の根太１５には、雨樋部材６が前桁１３およびデッキ材１２間に配置されて取り付けられている。外壁面２Ａには、複数のデッキ材１２の外壁面２Ａ側における端部を上方から覆うシールカバー７が取り付けられている。
複数のデッキ材１２は、複数の根太１５に載置されてネジ止めされており、複数のデッキ材１２の両端部は、第二持出し材４０および妻梁１４にそれぞれ取り付けられたデッキ材受け５０，５５に受けられている。
この片入隅納まりのバルコニー１０Ａにおいては、前桁１３および複数のデッキ材１２はＸ軸方向に沿って配置されており、妻梁１４、複数の根太１５、第二持出し材４０、デッキ材受け５０，５５およびカバー材２０，２５はＺ軸方向に沿って配置されている。
【００２２】
次に、片入隅納まりのバルコニー１０Ａの施工について説明する。
施工概略としては、立設された支柱５および外壁面２Ａ,２Ｂに前桁１３および妻梁１４を取り付けて二方枠組みし、前桁１３および外壁面２Ａにわたって複数の根太１５を設置することで床組部１１を構成し、複数の根太１５上に複数のデッキ材１２を並設する。
前桁１３および外壁面２Ａには予め根太掛け６０が取り付けてあり、妻梁１４にはデッキ材受け５５が予め取り付けてある。複数の根太１５の設置後、これら複数の根太１５に雨樋部材６が取り付けられ、複数のデッキ材１２の並設後、妻梁１４にカバー材２５が取り付けられる。
ここで、床組部１１を構成する選択部材としては、用意したカバー材２０、第一持出し材３０および第二持出し材４０のうちカバー材２０および第二持出し材４０を選択し、これらは図１（Ａ）において一点鎖線で囲む部分に設置する。具体的には、予め第二持出し材４０にデッキ材受け５０を取り付け、床組部１１を構成する際に第二持出し材４０を外壁面２Ｂにネジ止めし、カバー材２０は、複数のデッキ材１２の並設後に第二持出し材４０にネジ止めして、図４に示す組立状態とする。カバー材２０は、その突部２１がある側の側縁部が外壁面２Ｂに当接し、その下面が複数のデッキ材１２の上面に当接し、第二持出し材４０および外壁面２Ｂ間の隙間を上方から覆った状態とされる。デッキ材受け５０の雨樋部は、カバー材２０に対して下方であってカバー材２０およびデッキ材１２間に浸入する雨水を排水可能な位置に配置される。このようにして片入隅納まりのバルコニー１０Ａを組み立てる。
【００２３】
［第２実施形態］
以下、本発明の第２実施形態を図面に基づいて説明する。
図１（Ｂ）において、第２実施形態に係る両入隅納まりのバルコニー１０Ｂは、前述した片入隅納まりのバルコニー１０Ａと概略同様に構成されているが、前桁１３の両端が左右の外壁面２Ｂに取り付けられている点と、妻梁１４を備えずに左右の外壁面２Ｂにそれぞれ取り付けられた第二持出し材４０を備えている点とが異なる。左右の第二持出し材４０には前述同様にデッキ材受け５０およびカバー材２０が取り付けられている。
両入隅納まりのバルコニー１０Ｂの施工は、片入隅納まりのバルコニー１０Ａと概略同様であるが、前桁１３が左右の外壁面２Ｂに張り渡され、妻梁１４を用いず、左右の外壁面２Ｂに第二持出し材４０がそれぞれ取り付けられる点が異なる。
このバルコニー１０Ｂの施工では、床組部１１を構成する選択部材として、用意したカバー材２０、第一持出し材３０および第二持出し材４０のうちカバー材２０および第二持出し材４０を選択し、これらは図１（Ｂ）において一点鎖線で囲む左右の部分にそれぞれ設置する。このようにして両入隅納まりのバルコニー１０Ｂを組み立てる。
【００２４】
［第３実施形態］ 
以下、本発明の第３実施形態を図面に基づいて説明する。
図１（Ｃ）および図５，６において、第３実施形態に係る入隅納まりのバルコニー１０Ｃは、建物躯体の入隅部２を構成する二つの外壁面２Ａ，２Ｂにそれぞれ沿って配置される基本バルコニー部１０１，１０２と、基本バルコニー部１０１，１０２に連続した入隅バルコニー部１０３とを有している。バルコニー１０Ｃでは、入隅バルコニー部１０３は、基本バルコニー部１０１とＸ軸方向に並んで配置されていると共に、基本バルコニー部１０２とＺ軸方向に並んで配置されており、基本バルコニー部１０２は、入隅バルコニー部１０３よりもＺ軸方向における前方側に配置されている。
基本バルコニー部１０１，１０２は、図５に示すように、フレームである前桁１３、妻梁１４および中間根太１６、並びに複数の根太１５を備えた床組部１０４と、床組部１０４に並設された複数のデッキ材１２とによって構成されている。
【００２５】
基本バルコニー部１０１では、前桁１３は、両端が支柱５に取り付けられていると共にＸ軸方向に沿って配置されており、妻梁１４および中間根太１６は、一端が支柱５に取り付けられていると共にＺ軸方向に沿って配置されている。前桁１３および外壁面２Ａには根太掛け６０が取り付けられており、複数の根太１５はこれらの根太掛け６０に掛けられてＺ軸方向に沿って配置されている。妻梁１４には、デッキ材受け５５およびカバー材２５が取り付けられており、中間根太１６には、選択部材であるデッキ材受け５０およびカバー材２０Ａが取り付けられている。カバー材２０Ａは、カバー材２０Ａの突部２２に隣接した位置から下方に延出した側片部を有している点を除いて同じ構成である。複数のデッキ材１２は、複数の根太１５に載置されてネジ止めされていると共に両端が中間根太１６および妻梁１４に取り付けられたデッキ材受け５０，５５に受けられている。これら複数のデッキ材１２は、Ｘ軸方向に沿って配置されている。
ここで、Ｚ軸方向に沿った中間根太１６は、図６に示すように、断面略矩形状であって中空の根太本体部１７と、根太本体部１７の幅方向に延出した左右の取付片部１８とを有している。根太本体部１７の長手方向に沿った両側面には、デッキ材受け５０の側片部５２がそれぞれネジ止めされており、左右の取付片部１８にカバー材２０Ａがそれぞれ取り付けられている。この根太本体部１７に対して妻梁１４側に位置するカバー材２０Ａは、取付片部１８から中間根太１６に隣り合うデッキ材１２の上面までにわたって配置されており、このデッキ材１２の上面に当接している。このカバー材２０Ａによって、中間根太１６およびデッキ材１２間の隙間は上方から覆われており、デッキ材受け５０の雨樋部は、カバー材２０Ａに対して下方であってカバー材２０およびデッキ材１２間に浸入する雨水を排水可能な位置に配置されている。
【００２６】
基本バルコニー部１０２は、基本バルコニー部１０１と概略同様に構成されているが設置向きが異なる。具体的には、前桁１３はＺ軸方向に沿って配置されており、妻梁１４、複数の根太１５および中間根太１６はＸ軸方向に沿って配置されている。妻梁１４および中間根太１６は、一端が支柱５に取り付けられ、他端が外壁面２Ｂに取り付けられている。複数の根太１５は、前桁１３および外壁面２Ｂに取り付けられた根太掛け６０に掛けられている。そして、複数のデッキ材１２は、Ｚ軸方向に沿って配置されている。
この基本バルコニー部１０２では、Ｘ軸方向に沿った中間根太１６の妻梁１４側における側面および取付片部１８には、デッキ材受け５０およびカバー材２０Ａが取り付けられており、中間根太１６の外壁面２Ａ側における側面および取付片部１８には、根太掛け６０およびカバー材２０が取り付けられている。このカバー材２０に対して下方の位置には、複数の根太１５に取り付けられた雨樋部材８が配置されている。
【００２７】
入隅バルコニー部１０３は、基本バルコニー部１０１，１０２の各中間根太１６を共用しており、複数の根太１５、並びに選択部材としてカバー材２０およびデッキ材受け５０が取り付けられた第二持出し材４０を備えた床組部１０５と、床組部１０５に並設された複数のデッキ材１２とを備えている。Ｚ軸方向に沿ったフレームである中間根太１６は、基本バルコニー部１０１および入隅バルコニー部１０３の連続部分を構成しており、Ｘ軸方向に沿ったフレームである中間根太１６は、基本バルコニー部１０２および入隅バルコニー部１０３の連続部分を構成している。
複数の根太１５は、Ｘ軸方向に沿った中間根太１６および外壁面２Ａに取り付けられた根太掛け６０に掛けられてＺ軸方向に沿って配置されている。Ｘ軸方向に沿った中間根太１６に取り付けられたカバー材２０は、取付片部１８からこのデッキ材１２の上面までにわたって配置されており、中間根太１６およびデッキ材１２間の隙間を上方から覆っている。
Ｚ軸方向に沿った中間根太１６の外壁面２Ｂ側におけるカバー材２０Ａは、取付片部１８から複数のデッキ材１２の上面までにわたって配置されており、中間根太１６および複数のデッキ材１２間の隙間を上方から覆っている。Ｚ軸方向に沿った中間根太１６の外壁面２Ｂ側におけるデッキ材受け５０の雨樋部は、カバー材２０Ａに対して下方であってカバー材２０Ａおよびデッキ材１２間に浸入する雨水を排水可能な位置に配置されている。
第二持出し材４０は、その側片部４１２および連続片部４３で外壁面２Ｂにネジ止めされており、前述した片入隅納まりのバルコニー１０Ａと同様にデッキ材受け５０およびカバー材２０が取り付けられている。複数のデッキ材１２は、複数の根太１５に載置されてネジ止めされ且つ両端部がデッキ材受け５０に受けられており、Ｘ軸方向に沿って配置されている。
【００２８】
次に、入隅納まりのバルコニー１０Ｃの施工について説明する。
施工概略としては、前桁１３、妻梁１４および各中間根太１６を枠組みし且つデッキ材受け５０が取り付けられた第二持出し材４０を外壁面２Ｂに取り付け、各前桁１３、Ｘ軸方向に沿った中間根太１６および外壁面２Ａ，２Ｂに取り付けられた根太掛け６０に複数の根太１５を掛け、複数のデッキ材１２を複数の根太１５に載置してネジ止めし、これら複数のデッキ材１２の両端部が各デッキ材受け５０，５５に受けられた状態とする。次に、各妻梁１４、各中間根太１６および第二持出し材４０にカバー材２０，２０Ａ，２５を取り付ける。
ここで、バルコニー１０Ｃの床組部１０４，１０５を構成する選択部材として、用意したカバー材２０，２０Ａ、第一持出し材３０および第二持出し材４０のうちカバー材２０，２０Ａおよび第二持出し材４０を選択し、カバー材２０および第二持出し材４０は図１（Ｃ）の外壁面２Ｂ側において一点鎖線で囲む部分に設置し、二つのカバー材２０Ａは図１（Ｃ）のＺ軸方向に沿った中間根太１６を一点鎖線で囲む部分に設置する。このようにして入隅納まりのバルコニー１０Ｃを組み立てる。
【００２９】
［第４実施形態］
以下、本発明の第４実施形態を図面に基づいて説明する。
図１（Ｄ）および図７，８において、第４実施形態に係る出隅納まりのバルコニー１０Ｄは、建物躯体の出隅部４を構成する二つの外壁面２Ｂ,２Ｃにそれぞれ沿って配置された基本バルコニー部１０１Ｄ，１０２Ｄと、基本バルコニー部１０１Ｄ，１０２Ｄに連続した出隅バルコニー部１１０とを有している。バルコニー１０Ｄでは、出隅バルコニー部１１０は、基本バルコニー部１０２ＤとＸ軸方向に並んで配置されていると共に、基本バルコニー部１０１ＤとＺ軸方向に並んで配置されており、出隅バルコニー部１１０および基本バルコニー部１０２Ｄは、基本バルコニー部１０１ＤよりもＺ軸方向における前方側に配置されている。
【００３０】
基本バルコニー部１０１Ｄは、前述した基本バルコニー部１０１と概略同様に構成されているが設置向きが異なる。具体的には、図７に示すように、前桁１３および複数のデッキ材１２がＺ軸方向に沿って配置されており、妻梁１４、中間根太１６および複数の根太１５がＸ軸方向に沿って配置されている。このため、各根太掛け６０、シールカバー７、および複数の根太１５に取り付けられて前桁１３およびデッキ材１２間に配置された雨樋部材６はＺ軸方向に沿って配置されており、妻梁１４に取り付けられたデッキ材受け５５およびカバー材２５、並びに中間根太１６に取り付けられたデッキ材受け５０およびカバー材２０Ａは、Ｘ軸方向に沿って配置されている。
【００３１】
基本バルコニー部１０２Ｄは、前述した基本バルコニー部１０２と概略同様に構成されているが設置向きが異なる。具体的には、図７に示すように、前桁１３および複数のデッキ材１２がＸ軸方向に沿って配置されており、妻梁１４、中間根太１６および複数の根太１５がＺ軸方向に沿って配置されている。このため、各根太掛け６０、シールカバー７、および複数の根太１５に取り付けられて前桁１３およびデッキ材１２間に配置された雨樋部材６はＸ軸方向に沿って配置されており、妻梁１４に取り付けられたデッキ材受け５５およびカバー材２５、並びに中間根太１６に取り付けられたデッキ材受け５０およびカバー材２０Ａは、Ｚ軸方向に沿って配置されている。
【００３２】
出隅バルコニー部１１０は、図７に示すように、基本バルコニー部１０１Ｄ，１０２Ｄの各中間根太１６を共用しており、前桁１３、妻梁１４、複数の根太１５、並びに選択部材としてカバー材２０および根太掛け６０が取り付けられた第一持出し材３０を備えた床組部１１１と、床組部１１１に並設された複数のデッキ材１２とを備えている。Ｘ軸方向に沿ったフレームである中間根太１６は、基本バルコニー部１０１Ｄおよび出隅バルコニー部１１０の連続部分を構成しており、Ｚ軸方向に沿ったフレームである中間根太１６は、基本バルコニー部１０２Ｄおよび出隅バルコニー部１１０の連続部分を構成している。
前桁１３および妻梁１４は、それぞれの両端が支柱５に取り付けられており、前桁１３はＺ軸方向に沿って配置されており、妻梁１４および複数の根太１５はＸ軸方向に沿って配置されている。このため、前桁１３に取り付けられた根太掛け６０および複数のデッキ材１２はＺ軸方向に沿って配置されており、妻梁１４に取り付けられたデッキ材受け５５およびカバー材２５は、Ｘ軸方向に沿って配置されている。前桁１３およびデッキ材１２間には複数の根太１５に取り付けられた雨樋部材６が配置されている。
Ｚ軸方向に沿った中間根太１６の図８において右側の側面には、第一持出し材３０の固定片部３６，３７がネジ止めされており、第一持出し材３０の本体側片部３１３には、根太掛け６０がネジ止めされており、第一持出し材３０の取付片部３４には、カバー材２０がネジ止めされている。根太掛け６０の突部６３は受け片部３９に受けられており、カバー材２０の突部２１，２２は取付片部３４に当接している。このカバー材２０に対して下方の位置には、デッキ材１２の雨樋形状とされた側縁部が配置されており、カバー材２０およびデッキ材１２間に浸入する雨水はデッキ材１２の雨樋形状部分によって排水可能となっている。
複数の根太１５は、第一持出し材３０および前桁１３に取り付けられた根太掛け６０に掛けられており、複数のデッキ材１２は複数の根太１５に載置されてネジ止めされていると共に両端部がデッキ材受け５０，５５に受けられており、妻梁１４との隙間はカバー材２５によって上方から覆われており、Ｘ軸方向に沿った中間根太１６との隙間はカバー材２０Ａによって上方から覆われている。また、第一持出し材３０に取り付けられたカバー材２０は、取付片部３４から第一持出し材３０に隣り合うデッキ材１２までにわたって配置されており、第一持出し材３０およびデッキ材１２間の隙間は、このカバー材２０によって上方から覆われている。
【００３３】
次に出隅納まりのバルコニー１０Ｄの施工について説明する。
施工概略としては、前桁１３、妻梁１４および各中間根太１６を枠組みし、各根太掛け６０に複数の根太１５を掛け、複数のデッキ材１２を複数の根太１５に載置してネジ止めし、これら複数のデッキ材１２の両端部が各デッキ材受け５０，５５に受けられた状態とする。次に、各妻梁１４、各中間根太１６および第一持出し材３０にカバー材２０，２０Ａ，２５を取り付ける。第一持出し材３０は、上片部３３が取付片部１８に載置されることで中間根太１６の側面に配置されるので、固定片部３６，３７の中間根太１６に対する取付作業を容易に行える。
ここで、バルコニー１０Ｄの床組部１１１を構成する選択部材として、用意したカバー材２０、第一持出し材３０および第二持出し材４０のうちカバー材２０および第一持出し材３０を選択し、カバー材２０および第一持出し材３０は図１（Ｄ）のＺ軸方向に沿った中間根太１６に沿って一点鎖線で囲まれた部分に設置する。このようにして出隅納まりのバルコニー１０Ｄを組み立てる。
【００３４】
［第５実施形態］
以下、本発明の第５実施形態を図面に基づいて説明する。
図１（Ｅ）および図９，１０において、第５実施形態に係る片入隅途中納まりのバルコニー１０Ｅは、建物躯体の入隅部２を構成する外壁面２Ａ，２Ｂに沿って納められる奥側部分と、入隅部２からＺ軸方向における前方側に突出した突出部分とを有したバルコニーである。このバルコニー１０Ｅは、前述した片入隅納まりのバルコニー１０Ａと概略同様に構成されているが、外壁面２Ｂよりも前方に突出した寸法とされており、外壁面２Ｂに連続したＸ軸方向に沿った外壁面２Ｃに取り付けられる梁材１９を備えている点が異なる。バルコニー１０Ｅにおいて、バルコニー１０Ａと同じ構成については同符号を付してその説明を省略する。
図９に示すように、前桁１３は、両端部が支柱５に取り付けられている。梁材１９は、一端が支柱５に取り付けられており、他端が外壁面２Ｃに取り付けられており、その妻梁１４側の側面に第一持出し材３０が取り付けられている。妻梁１４、デッキ材受け５５、カバー材２５と、第二持出し材４０、デッキ材受け５０およびカバー材２０と、複数の根太１５とは、外壁面２Ｂよりも長いＺ軸方向の寸法を有している。第一持出し材３０の長さ寸法は、前桁１３から外壁面２Ｃまでの寸法であって梁材１９の長さ寸法と略同じ寸法とされている。
図１０に示すように、梁材１９の妻梁１４側における側面には、第一持出し材３０の固定片部３６，３７がネジ止めされており、第一持出し材３０の本体側片部３１３に第二持出し材４０の側片部４１２および連続片部４３がネジ止めされており、第二持出し材４０の側片部４１３および立上げ片部４４にデッキ材受け５０の側片部５２が当てられ、立上げ片部４４に側片部５２がネジ止めされており、第二持出し材４０の取付片部４６にカバー材２０が取り付けられている。第二持出し材４０の当接片部４５は、第一持出し材３０の垂下片部３４Ａに当接している。ここで、第二持出し材４０の下片部４２４は第一持出し材３０の受け片部３９に受けられるので、第二持出し材４０の第一持出し材３０に沿った位置に配置でき、取付け作業を容易に行える。
片入隅途中納まりのバルコニー１０Ｅの施工は、梁材１９、第一持出し材３０の設置を除いて片入隅納まりのバルコニー１０Ａの施工と概略同様である。
ここで、バルコニー１０Ｅの床組部１１を構成する選択部材として、用意したカバー材２０、第一持出し材３０および第二持出し材４０のうちすべてを選択し、これらを図１（Ｅ）の外壁面２Ｂから梁材１９に沿って一点鎖線で囲まれた部分に設置する。このようにして片入隅途中納まりのバルコニー１０Ｅを組み立てることで、梁材１９を建物躯体の柱部分にネジ止めするために出隅部４のコーナーエッジから離れてしまっても、梁材１９に第一持出し材３０を取り付けることで第二持出し材４０を梁材１９側に取付可能となり、これにより、外壁面２Ｂに沿った第二持出し材４０およびこれに取り付けられたデッキ材受け５０およびカバー材２０を外壁面２Ａから前桁１３まで延びた通し材として用いることができ、異なる形材形状の部品点数の増加を抑えることができる。
【００３５】
［第６実施形態］
以下、本発明の第６実施形態を図面に基づいて説明する。
図１（Ｆ）において、第６実施形態に係る両入隅途中納まりのバルコニー１０Ｆは、前述した片入隅途中納まりのバルコニー１０Ｅと概略同様に構成されているが、バルコニー１０Ｆの左右両側に梁材１９、第一持出し材３０、第二持出し材４０、デッキ材受け５０およびカバー材２０が配置されている点が異なる。
両入隅途中納まりのバルコニー１０Ｆの施工は、片入隅途中納まりのバルコニー１０Ｅと概略同様であるが、妻梁１４を用いずに梁材１９を用いる点が異なる。
このバルコニー１０Ｆの施工では、床組部１１を構成する選択部材として、用意したカバー材２０、第一持出し材３０および第二持出し材４０のうちのすべてを選択し、これらを図１（Ｆ）において一点鎖線で囲む左右の部分にそれぞれ設置する。このようにして両入隅途中納まりのバルコニー１０Ｆを組み立てる。
【００３６】
［第７実施形態］
以下、本発明の第７実施形態を図面に基づいて説明する。
図１（Ｇ）および図１１，１２において、第７実施形態に係る躯体側出幅違い納まりのバルコニー１０Ｇは、前述した片入隅納まりのバルコニー１０Ｅと概略同様の構成だが、梁材１９に代えて中間根太１６を備え、外壁面２Ｃに沿った基本バルコニー部１０２Ｄが構成される点が異なる。
躯体側出幅違い納まりのバルコニー１０Ｇの施工では、用意したカバー材２０、第一持出し材３０および第二持出し材４０のうちのすべてを選択部材として選択し、これらを図１（Ｇ）において一点鎖線で囲む部分に設置する。このバルコニー１０Ｇの施工では、前述した片入隅納まりのバルコニー１０Ｅの施工を梁材１９ではなく中間根太１６を用いて行い、更に前述した基本バルコニー部１０２Ｄを外壁面２Ｃに沿って組み立てることによって行われる。
【００３７】
［第８実施形態］
以下、本発明の第８実施形態を図面に基づいて説明する。
図１（Ｈ）および図１３，１４において、第８実施形態に係る奥行連結納まりのバルコニー１０Ｈは、建物躯体の平坦な外壁面２Ｄに沿って設置されており、Ｚ軸方向における前側バルコニー部１２０および躯体側バルコニー部１３０を有している。
前側バルコニー部１２０は、図１３に示すように、支柱５（前柱）に取り付けられた前桁１３および左右の妻梁１４と、前桁１３および後述する連結桁２６に取り付けられた根太掛け６０に掛けられる複数の根太１５とを備えた床組部１２１と、床組部１２１に並設された複数のデッキ材１２とを備えている。前桁１３およびデッキ材１２間には複数の根太１５に取り付けられた雨樋部材６が配置されている。左右の妻梁１４には、デッキ材受け５５およびカバー材２５が取り付けられている。
躯体側バルコニー部１３０は、図１３に示すように、支柱５（中間柱）に取り付けられたフレームである連結桁２６および左右の妻梁１４と、連結桁２６および外壁面２Ｄに取り付けられた根太掛け６０に掛けられる複数の根太１５とを備えた床組部１３１と、床組部１３１に並設された複数のデッキ材１２とを備えている。左右の妻梁１４には、デッキ材受け５５およびカバー材２５が取り付けられている。外壁面２Ｄには、デッキ材１２との隙間を覆うシールカバー７が取り付けられている。
連結桁２６には、図１４に示すように、その幅方向に延出した左右の取付片部２８が形成されており、この左右の取付片部２８にカバー材２０がそれぞれネジ止めされている。左右のカバー材２０は、取付片部２８からデッキ材１２の上面までわたって配置されており、連結桁２６およびデッキ材１２間の隙間を上方から覆っている。前側バルコニー部１２０においてカバー材２０の下方に位置するデッキ材１２の側縁部には雨樋形状部分が形成されている。このため、カバー材２０およびデッキ材１２間に浸入する雨水はデッキ材１２の側縁部によって排水可能である。躯体側バルコニー部１３０においてカバー材２０の下方には、複数の根太１５に取り付けられた雨樋部材８が配置されている。このためカバー材２０およびデッキ材１２間に浸入する雨水は雨樋部材８によって排水可能である。
この奥行連結納まりのバルコニー１０Ｈの施工では、先ず床組部１２１、１３１を枠組みし、枠組みした床組部１２１，１２２に複数のデッキ材１２をＸ軸方向に沿って配置する。
ここで、用意したカバー材２０、第一持出し材３０および第二持出し材４０のうちカバー材２０を選択部材として選択し、このカバー材２０を図１（Ｈ）の一点鎖線で囲まれた部分に設置する。すなわち、カバー材２０を連結桁２６の両取付片部２８に取り付ける。このようにして奥行連結納まりのバルコニー１０Ｈを組み立てる。
【００３８】
［本実施形態の効果］
（１）本実施形態では、各種納まりのバルコニー１０Ａ〜１０Ｈは、カバー材２０単体、または、カバー材２０と第一持出し材３０および第二持出し材４０のうちの少なくとも一方とが選択部材として床組部１１，１０４，１０５，１０６，１２１，１３１に組み込まれている。このため、第一持出し材３０および第二持出し材４０を用いずにカバー材２０（２０Ａ）をフレーム（中間根太１６、連結桁２６）に取り付けた入隅納まりのバルコニー１０Ｃや奥行連結納まりのバルコニー１０Ｈを構成すること、カバー材２０を第一持出し材３０に取り付けた出隅納まりのバルコニー１０Ｄを構成すること、カバー材２０を第二持出し材４０に取り付けた片入隅納まりのバルコニー１０Ａ、両入隅納まりのバルコニー１０Ｂや入隅納まりのバルコニー１０Ｃを構成すること、第一持出し材３０に取り付けた第二持出し材４０にカバー材２０を取り付けた片入隅途中納まりのバルコニー１０Ｅ、両入隅途中納まりのバルコニー１０Ｆ、躯体側出幅違い納まりのバルコニー１０Ｇを構成することなどを選択することができる。フレーム、第一持出し材３０または第二持出し材４０に対して根太掛け６０やデッキ材受け５０を取り付けることで、根太１５やデッキ材１２に対するフレームの取り合いの選択幅を広げることができる。また、各種バルコニー１０Ａ〜１０Ｈ間で共通の各持出し材３０、４０やカバー材２０を適用できるので部材コストの削減および管理の簡略化を図ることができる。更に、フレーム、第一持出し材３０または第二持出し材４０にカバー材２０を取り付けることで、フレーム、第一持出し材３０または第二持出し材４０とデッキ材１２との隙間を上方から覆うことができ、デッキ材１２との取り合いに多少の誤差があっても外観上目立つことがない。
（２）第１実施形態および第２実施形態では、第二持出し材４０を建物躯体の片入隅部や両入隅部を構成する外壁面２Ａ，２Ｂにそれぞれ取り付けるので、片入隅納まりのバルコニー１０Ａや両入隅納まりのバルコニー１０Ｂを構成することができる。更に、第二持出し材４０にカバー材２０を取り付けることで、第二持出し材４０とデッキ材１２との隙間をカバー材２０によって上方から覆うことができ、デッキ材１２との取り合いに多少の誤差があっても外観上目立つことがない。
（３）第３実施形態では、基本バルコニー部１０１と入隅バルコニー部１０３との連続部分に、選択部材としてのカバー材２０Ａを両側面に取り付けた中間根太１６を適用することで、基本バルコニー部１０１および入隅バルコニー部１０３のデッキ材１２を中間根太１６によって連結した連結構造とされた入隅納まりのバルコニー１０Ｃを構成することができる。更に、この入隅納まりのバルコニー１０Ｃにおいても、中間根太１６に対して両側面側にあるデッキ材１２と当該中間根太１６との隙間をカバー材２０Ａによってそれぞれ上方から覆うことができ、デッキ材１２との取り合いに多少の誤差があっても外観上目立つことがない。
（４）第４実施形態では、基本バルコニー部１０１Ｄ，１０２Ｄに連続した出隅バルコニー部１１０との連続部分における中間根太１６に選択部材としてのカバー材２０が取り付けられた第一持出し材３０を取り付けることで、出隅納まりのバルコニー１０Ｄを構成することができる。
ここで、中間根太１６としてのフレームには、第一持出し材３０が取り付けられており、この第一持出し材３０に根太掛け６０が取り付けられているので、中間根太１６を出隅部４のコーナーエッジから離れた位置に配置されても根太１５との取り合いを第一持出し材３０によって調整することができる。更に、第一持出し材３０とデッキ材１２との隙間はカバー材２０によって上方から覆うことができ、デッキ材１２との取り合いに多少の誤差があっても外観上目立つことがない。
（５）第５、第６実施形態では、入隅部２および出隅部４を構成する外壁面２Ａ〜２Ｃのうち出隅部４を構成する外壁面２Ｂ，２Ｃに取り付けられるフレームである梁材１９に選択部材として第一持出し材３０、第二持出し材４０、デッキ材受け５０およびカバー材２０を取り付けることで、Ｚ軸方向における奥側（躯体側）が入隅部２に納められ、前方側が突出した片入隅途中納まりのバルコニー１０Ｅや、両入隅納まりのバルコニー１０Ｆを構成することができる。更に、第二持出し材４０とデッキ材１２との隙間はカバー材２０によって上方から覆うことができ、デッキ材１２との取り合いに多少の誤差があっても外観上目立つことがない。
（６）第７実施形態では、建物躯体の入隅部２および出隅部４を構成する外壁面２Ａ〜２Ｃのうち出隅部４を構成する外壁面２Ｂ，２Ｃに取り付けられるフレームである中間根太１６に、第一持出し材３０、第二持出し材４０、デッキ材受け５０およびカバー材２０，２０Ａを取り付けることで、建物躯体の入隅部２に沿った入隅側バルコニー部と、建物躯体の出隅部４に沿った出隅側バルコニー部とが中間根太１６の両側面側に配置された躯体側出幅違いのバルコニー１０Ｇを構成することができる。更に、中間根太１６の両側面とデッキ材１２との各隙間はカバー材２０によってそれぞれ上方から覆うことができ、デッキ材１２との取り合いに多少の誤差があっても外観上目立つことがない。
（７）第８実施形態では、連結桁２６の一方の側面側において根太掛け６０に受けられる根太１５上のデッキ材１２と連結桁２６の他方の側面側において根太掛け６０に受けられる根太１５上のデッキ材１２とを連結した奥行連結納まりのバルコニー１０Ｈを構成することができる。更に、カバー材２０が連結桁２６の両側面側にあるので、連結桁２６に対して両側面側にあるデッキ材１２と当該連結桁２６との隙間をカバー材２０によってそれぞれ上方から覆うことができ、デッキ材１２との取り合いに多少の誤差があっても外観上目立つことがない。
（８）前述したデッキ材受け５０には凹溝状の雨樋部が形成されているので、デッキ材１２を受ける部材と雨樋部材とを別々に備える必要がなくなり、部材コストの削減および施工の簡略化を図ることができる。また、デッキ材受け５０の雨樋部がカバー材２０の下方に配置されることで、カバー材２０およびデッキ材１２間に浸入する雨水を前記雨樋部によって排水することができる。
（９）カバー材２０（２０Ａ）を設置することで、デッキ材１２の熱反りに対する上方への突出変形をカバー材２０（２０Ａ）によって押えることができる。これにより、デッキ材１２の熱反りを考慮して段差を各フレームおよびデッキ材１２間に形成する必要が低減し、この段差をカバー材２０（２０Ａ）の厚さ寸法程度にまで小さくすることができる。
【００３９】
［変形例］
本発明は、以上の実施形態で説明した構成のものに限定されず、本発明の目的を達成できる範囲での変形例は、本発明に含まれる。
例えば、前記各実施形態では、下方に延出した側片部を有したカバー材２０Ａに代えてカバー材２０を取り付けていてもよい。
前記各実施形態では、第一持出し材３０や第二持出し材４０には、デッキ材受け５０および根太掛け６０のうちの一方または双方が取り付けられていてもよい。
第３実施形態では、入隅バルコニー部１０３の複数のデッキ材１２は、基本バルコニー部１０１の複数のデッキ材１２と同様に外壁面２Ａに沿って配置されているが、基本バルコニー部１０２の複数のデッキ材１２と同様に外壁面２Ｂに沿って配置されていてもよい。この場合、入隅バルコニー部１０３では、Ｚ軸方向に沿った中間根太１６および外壁面２Ｂに根太掛け６０が取り付けられ、外壁面２Ａにデッキ材受け５０付き第二持出し材４０が取り付けられ、Ｘ軸方向に沿った中間根太１６にデッキ材受け５０が取り付けられ、複数の根太１５は根太掛け６０に掛けられてＸ軸方向に沿って配置され、複数のデッキ材１２は当該複数の根太１５に載置されてネジ止めされ、且つ両端部が各デッキ材受け５０に受けられる。
また、第一持出し材３０は、垂下片部３４Ａ、当接片部３８や受け片部３９を有しており、第二持出し材４０は、当接片部４５や垂下片部４７を有しているが、これらの構成を省略してもよく、各フレームや第一持出し材３０および第二持出し材４０相互が取付可能であると共にカバー材２０（２０Ａ）、デッキ材受け５０や根太掛け６０が取付可能な構成であって各部材の本来の機能を発揮可能な範囲内であれば設計変更してもよい。
【符号の説明】
【００４０】
１０Ａ〜１０Ｈ…バルコニー、１１，１０４，１０５，１０６，１１１，１２１，１２２，１３１…床組部、１２…デッキ材、１３…前桁、１４…妻梁、１５…根太、１６…中間根太、１９…梁材、２０，２０Ａ，２５…カバー材、２６…連結桁、２…入隅部、２Ａ〜２Ｄ…外壁面、４…出隅部、３０…第一持出し材、４０…第二持出し材、５０，５５…デッキ材受け、６０…根太掛け。
【図１】
2019065584.tif 000003
【図２】
2019065584.tif 000004
【図３】
2019065584.tif 000005
【図４】
2019065584.tif 000006
【図５】
2019065584.tif 000007
【図６】
2019065584.tif 000008
【図７】
2019065584.tif 000009
【図８】
2019065584.tif 000010
【図９】
2019065584.tif 000011
【図１０】
2019065584.tif 000012
【図１１】
2019065584.tif 000013
【図１２】
2019065584.tif 000014
【図１３】
2019065584.tif 000015
【図１４】
2019065584.tif 000016